(57)【特許請求の範囲】
【請求項１】
バルブの開時間を検出する方法において、
該方法は、
前記バルブのバルブ電流プロファイルを受け取るステップと、
少なくとも１つのスロープ反射検出器を使用して前記バルブ電流プロファイルを処理するステップと、
前記スロープ反射検出器の出力に基づいて前記バルブの固着の状態を求めるステップとを有することを特徴とする方法。
【請求項２】
請求項１に記載の方法において、
前記少なくとも１つのスロープ反射検出器を使用して前記バルブ電流プロファイルの処理する前記ステップには、メディアン窓内の中心値と、平均窓内での平均値とを求めるステップが含まれており、
前記メディアン窓および前記平均窓は、前記バルブの前記電流プロフィールを定めるデータ窓である、
ことを特徴とする方法。
【請求項３】
請求項２に記載の方法において、
前記メディアン窓における各出力データ点は、対応する時間における前記メディアン窓内にある複数のデータ点の中心値であり、ただし前記メディアン窓内の前記データ点は値の昇順にソートされ、
前記平均窓における各出力データ点は、対応する時間における前記平均窓内にある複数のデータ点の平均値である、
ことを特徴とする方法。
【請求項４】
請求項３に記載の方法において、
前記平均窓は、前記メディアン窓より少ないデータ点を含んでおり、
前記平均窓は、前記メディアン窓開始点から所定のオフセットで開始される、
ことを特徴とする方法。
【請求項５】
請求項２に記載の方法において、
少なくとも１つのスロープ反射検出器を使用して前記バルブ電流プロファイルを処理する前記ステップには、関係式
Ｏｕｔ＝ｍｉｄ＊ｄfact−(ｍｅａｎ＊ｇfact)
にしたがってスロープ反射出力を形成することが含まれており、ただし
Ｏｕｔは、所定の時間におけるスロープ反射出力であり、
ｍｉｄは、前記所定の時間における前記メディアン窓内でソートされたデータ点の中央値であり、
ｍｅａｎは、前記所定の時間における前記平均窓内でのデータ点の平均値であり、
ｄfactおよびｇfactは、可変の増幅係数である、
ことを特徴とする方法。
【請求項６】
請求項５に記載の方法において、
ｇfactは、前記所定の時間において前記メディアン窓内でソートされたデータ点の前記中央値と、前記所定の時間における前記平均窓内の前記データの前記平均値との間の差分の絶対値に１を加算したものであり、
ｄfactは、前記所定の時間において前記メディアン窓内でソートされたデータ点の前記中央値と、前記所定の時間における前記平均窓内の前記データの前記平均値との間の差分の絶対値を１から減算したものである、
ことを特徴とする方法。
【請求項７】
請求項１に記載の方法において、
前記スロープ反射検出器の出力に基づいて前記バルブの状態を求めるステップにはさらに、スロープ反射検出器出力において閾値よりも大きな振幅を有する谷部を識別するステップと、当該谷部における最小データ点を識別して、前記バルブが完全に開く時間を識別するステップとが含まれる、
ことを特徴とする方法。
【請求項８】
請求項７に記載の方法において、
さらに、前記バルブが完全に開かれる時間を識別するのに応答して当該バルブのバルブ開状態を設定するステップが含まれている、
ことを特徴とする方法。
【請求項９】
請求項７に記載の方法において、
さらに、前記スロープ反射検出器の前記最小点の位置を識別することにより、前記バルブの前記開時間を求めるステップが含まれている、
ことを特徴とする方法。
【請求項１０】
請求項１に記載の方法において、
前記スロープ反射検出器の出力に基づいて前記バルブの状態を求める前記ステップにはさらに、前記スロープ反射検出器の前記出力における閾値よりも大きな振幅を有する谷部が存在しないことを識別して、前記バルブが固着位置にあり、かつ、完全に開いていないことを決定することが含まれている、
ことを特徴とする方法。
【請求項１１】
請求項１０に記載の方法において、
さらに、前記バルブが固着位置にあり、かつ、完全に開いていないことを決定するのに応じて、当該バルブのバルブ固着状態を設定するステップが含まれている、
ことを特徴とする方法。
【請求項１２】
車両において
選択触媒還元インジェクタを含むエグゾーストシステムと、
前記選択触媒還元インジェクタの引き込み電流を検出できるように動作可能な少なくとも１つのセンサと、
当該少なくとも１つのセンサに接続されたコントローラとを有しており、
当該コントローラは、前記選択触媒還元インジェクタの引き込み電流におけるスロープ反射を検出して、前記選択触媒還元インジェクタの固着状態を検出するために前記選択触媒還元インジェクタの開時間を検出するように動作可能である、
ことを特徴とする車両。
【請求項１３】
請求項１２に記載の車両において、
前記コントローラはさらに、命令を記憶する有体の記憶装置を有しており、
前記命令は、前記コントローラに、
前記センサから選択触媒還元インジェクタ電流プロファイルを受け取るのに応じ、少なくとも１つのスロープ反射検出器を使用して前記選択触媒還元インジェクタ電流プロファイルを処理するステップと、
前記スロープ反射検出器の出力に基づいて前記選択触媒還元インジェクタの状態を決定するステップと
を実行させるように動作する、
ことを特徴とする車両。
【請求項１４】
請求項１３に記載の車両において、
前記センサから前記選択触媒還元インジェクタ電流プロファイルを受け取るのに応じ、少なくとも１つのスロープ反射検出器を使用して選択触媒還元インジェクタ電流プロファイルを処理する前記ステップには、メディアン窓内でソートされたデータから中心値を求めるステップと、前記選択触媒還元インジェクタの電流プロファイルの平均窓から平均値を求めるステップとが含まれている、
ことを特徴とする車両。
【請求項１５】
請求項１４に記載の車両において、
前記メディアン窓の各出力データ点は、前記バルブ電流プロファイルの前記メディアン窓内でソートしたデータ点の中心値であり、
前記メディアン窓内の前記データ点は、昇順の値にソートされており、
前記平均窓の各出力データ点は、前記平均窓内のデータ点の平均値である、
ことを特徴とする車両。
【請求項１６】
請求項１５に記載の車両において、
前記平均窓は、前記メディアン窓よりも少ないデータ点を含んでおり、
前記平均窓は、前記メディアン窓開始点から所定のオフセットで開始される、
ことを特徴とする車両。
【請求項１７】
請求項１３に記載の車両において、
少なくとも１つのスロープ反射検出器を使用して前記バルブ電流プロファイルを処理する前記ステップには、関係式
Ｏｕｔ＝ｍｉｄ＊ｄfact−(ｍｅａｎ＊ｇfact)
にしたがってスロープ反射出力を形成するステップが含まれており、ただし
Ｏｕｔは、所定の時間におけるスロープ反射出力であり、
ｍｉｄは、前記所定の時間における前記メディアン窓内でソートされたデータ点の中央値であり、
ｍｅａｎは、前記所定の時間における前記平均窓内のデータ点の平均値であり、
ｄfactおよびｇfactは、可変の増幅係数である、
ことを特徴とする車両。
【請求項１８】
請求項１７に記載の車両において、
ｇfactは、前記所定の時間において前記メディアン窓内でソートされたデータ点の前記中央値と、前記所定の時間における前記平均窓の前記データ点の前記平均値との間の差分の絶対値に１を加算したものであり、
ｄfactは、前記所定の時間において前記メディアン窓内でソートされたデータ点の前記中央値と、前記所定の時間における前記平均窓の前記データ点の前記平均値との間の差分の絶対値を１から減算したものである、
ことを特徴とする車両。
【請求項１９】
選択触媒還元インジェクタを制御するための方法において、
コントローラを用いて選択触媒還元インジェクタに開弁を開始するように指示するステップと、
前記コントローラにおいて前記選択触媒還元インジェクタの選択触媒還元インジェクタ電流プロファイルを受け取るステップと、
前記コントローラにおいて少なくとも１つのスロープ反射検出器を使用して前記選択触媒還元インジェクタ電流プロファイルを処理するステップと、
前記スロープ反射検出器の出力に基づいて前記選択触媒還元インジェクタの開状態を求めるステップとが含まれている、
ことを特徴とする方法。
【請求項２０】
請求項１９に記載の方法において、
少なくとも１つのスロープ反射検出器を使用して前記選択触媒還元インジェクタ電流プロファイルを処理する前記ステップには、
前記選択触媒還元インジェクタの前記電流プロファイルのメディアン窓から中央値を求め、平均窓から平均値を求めるステップと、
関係式
Ｏｕｔ＝ｍｉｄ＊ｄfact−(ｍｅａｎ＊ｇfact)
にしたがってスロープ反射出力を形成するステップとを有しており、ここで
Ｏｕｔは所定のデータ点における前記スロープ反射出力であり、
ｍｉｄは、前記所定の時間における前記メディアン窓内のデータの中央値であり、
ｍｅａｎは、前記所定の時間における前記平均窓内のデータの平均値であり、
ｇfactは、前記ｍｉｄ値と前記ｍｅａｎ値との間の差分の絶対値に１を加算したものであり、
ｄfactは、前記ｍｉｄ値と前記ｍｅａｎ値との間の差分の絶対値を１から減算したものである、
ことを特徴とする方法。
【請求項２１】
請求項１９に記載の方法において、
前記スロープ反射検出器の出力に基づいて前記選択触媒還元インジェクタの状態を求めるステップにはさらに、スロープ反射検出器出力において十分な振幅の谷部を識別するステップと、当該谷部における前記最小データ点を識別して、前記選択触媒還元インジェクタが完全に開いた時間を識別するステップとが含まれている、
ことを特徴とする方法。
【発明の詳細な説明】
【技術分野】
【０００１】
本発明は一般的には選択触媒還元インジェクタ制御に関しており、さらに具体的には選択触媒還元インジェクタの開時間および状態を検出するための処理に関する。
【背景技術】
【０００２】
ディーゼルエンジン排気ガスからのＮＯｘおよびＣＯ２の放出を低減するための世界的な取り組みにより、ディーゼルエンジン車両に選択触媒還元システムが実現されるようになり、これによって自動車排出物が低減されている。選択触媒還元システムは、エンジンからの排出ガス流にガス状また液体状の還元剤を加えることによって動作する。このガス状または液体状の還元剤は触媒に吸収され、ここでこの還元剤は、排気ガスに含まれる窒素酸化物と反応し、水蒸気と窒素が形成されるのである。
【０００３】
ＯＢＤまたはＯＢＤIIのようなオンボード診断システムと適切に相互作用を及ぼし合うため、既存の選択触媒還元システムには自己診断機能が含まれており、これによって車両の点検整備中に故障が識別されてピンポイントの交換が可能になる。
【図面の簡単な説明】
【０００４】
【図１】排出物を低減するための選択触媒還元インジェクタを有する車両を示す図である。
【図２】時間について、開弁する選択触媒還元インジェクタの電流プロファイルと、固着した選択触媒還元インジェクタの電流プロファイルとを示す図である。
【図３】選択触媒還元インジェクタの開時間および状態を検出するための処理を説明する図である。
【図４】図２の処理に対するスロープ反射検出方式を説明する図である。
【図５】スロープ反射検出器の出力グラフである。
【発明を実施するための形態】
【０００５】
ここに開示されているのは、バルブの開時間を検出する方法であり、この方法には、バルブの起動電流プロファイルを受け取るステップと、少なくとも１つのスロープ反射検出器を使用してバルブ電流プロファイルを処理するステップと、このスロープ反射検出器の出力に基づいてバルブの状態を求めるステップとが含まれている。
【０００６】
また本発明では、エグゾーストシステムを含む車両も開示されており、このエグゾーストシステムには、選択触媒還元インジェクタと、この選択触媒還元インジェクタの引き込み電流を検出するように動作可能なコントローラとが含まれており、このコントローラは、上記の選択触媒還元インジェクタの引き込み電流におけるスロープ反射を検出して、上記の選択触媒還元インジェクタの開時間が検出されるように動作可能である。
【０００７】
また本発明では、選択触媒還元インジェクタを制御する方法も開示されており、この方法には、コントローラを用いて選択触媒還元インジェクタに開弁を開始するように指示するステップと、上記のコントローラにおいて選択触媒還元インジェクタの選択触媒還元インジェクタ電流プロファイルを受け取るステップと、上記のコントローラにおいて少なくとも１つのスロープ反射検出器を使用して上記の選択触媒還元インジェクタ電流プロファイルを処理するステップと、スロープ反射検出器の出力に基づいて選択触媒還元インジェクタの開状態を求めるステップとが含まれている。
【０００８】
本発明の上記の特徴および別の特徴は、以下の詳細および図面から最も良好に理解することができる。
【実施例】
【０００９】
図１には、車両１０の内燃機関から排気ガス３０を取り除くエグゾーストシステム２０を含む車両１０が略示されている。このエグゾーストシステム２０にはエンジンからの排気ガス流にガス状または液状の還元剤を加える選択触媒還元インジェクタ４０が含まれている。このガス状または液状の還元剤は触媒に吸収され、この触媒において還元剤は排気ガスに含まれている窒素酸化物と反応して水蒸気および窒素が形成される。選択触媒還元インジェクタ４０は、コントローラ５０によって制御され、また選択触媒還元インジェクタ４０への入力およびここからの出力を検知することの可能なセンサパッケージを有している。１つの実施例においてインジェクタ４０は、ソレノイドバルブ型である。
【００１０】
上記のセンサパッケージが検出可能でありかつコントローラ５０と通信してこれに返送することの可能な複数の入力のうちの１つは、選択触媒インジェクタ４０の引き込み電流である。この引き込み電流は、コントローラ５０によって集められて、選択触媒還元インジェクタ４０の電流プロファイルが決定される。選択触媒還元インジェクタ４０の電流プロファイルに基づいて、コントローラ５０は、以下に説明する処理を使用して、正確なインジェクタ開時間と、インジェクタが固着しているか否かを求めることができる。
【００１１】
選択触媒還元インジェクタ４０の電流プロファイルは、インジェクタに供給されるバッテリ電圧と、インジェクタ温度と、インジェクタ液圧とに依存する。低温、低圧および高電圧の条件下では、正常な選択触媒還元インジェクタ４０の電流プロファイルは、固着した選択触媒還元インジェクタ４０とほぼ同じであり（見かけ上は類似している）、トップレベルのまたは視覚的な電流プロファイルの検査は、固着したインジェクタを識別するのには、または、インジェクタ４０の開時間を正確に識別するのには不十分である。
【００１２】
図１を引き続いて参照して図２を見ると、この図には選択触媒還元インジェクタ４０を開く電流プロファイル１１０と、選択触媒還元インジェクタ４０が固着した電流プロファイル１２０とが時間について示されている。選択触媒還元インジェクタを開く電流プロファイル１１０の場合、インジェクタ４０は、噴射（開）を時点１１２に開始し、電流プロフィール１１０は、比較的一定の傾きで増大する。選択触媒還元インジェクタ４０が完全に開いた場合、電流プロファイル１１０は、点１１４に示した（凹みと称される）わずかな傾きの変化を示す。この凹みの後、電流プロファイル１１０の傾きが変化する。これに対し、固着した選択触媒還元インジェクタ４０の電流プロファイル１２０は、時点１２２において開きはじめ、検出窓１２６にわたり、凹み無しに比較的一定の傾きで増大する。
【００１３】
電流プロファイル１１０，１２０の検出窓１１６，１２６はそれぞれ、コントローラ５０が電流プロファイルを解析して凹み１１４が存在する否かを検出する窓である。この窓１１６，１２６の間、インジェクタ電流データは、コントローラ５０によって処理されて、スロープ反射検出器に供給されて選択触媒還元インジェクタ４０の開が検出される。このスロープ反射検出器は、別のコントローラ、コントローラ５０のメモリ内に格納されたソフトウェアモジュールまたは別の任意の類似のシステムとすることが可能である。
【００１４】
図１を引き続いて参照しながら図３を参照すると、この図には、選択触媒還元インジェクタ４０の開時間を検出するため、コントローラ５０によって使用されるプロセス２００が示されている。最初にコントローラ５０は、インジェクション開始チェックステップ２１０の開始時にインジェクションが開始したか否かを調べるためにチェックを行う。インジェクションが開始されていない場合、プロセス２００はループの先頭に戻り、適当に遅延した後、再びインジェクション開始チェックステップ２１０を実行する。
【００１５】
インジェクションが開始している場合、プロセス２００は、スロープ反射検出窓が開始するのを待機するステップ２１２に進む。図２に示したように、インジェクションが開始する時間１１２，１２２と、検出窓１１６，１２６が開く時間との間には遅延期間がある。ステップ２１２では、コントローラ５０は、スロープ反射検出窓開始チェックステップ２１４に進む前に、インジェクションの開始と、スロープ反射検出窓１１６，１２６の開始との間の遅延期間の間、待機する。
【００１６】
コントローラ５０が、スロープ反射検出窓開始チェックステップ２１４を実行した時に、スロープ反射検出窓がまだ開始されていない場合、このプロセスはループの、スロープ反射検出窓が開始されるのを待機するステップ２１２に戻る。スロープ反射検出窓１１６，１２６が開始されている場合、コントローラ５０は、電流データ検出ステップ２１６において電流データを蓄積してインジェクタ４０の電流プロファイルを組み立てる。この電流データを、許容可能な任意のセンサ装置を使用して蓄積することができる。実施例によっては、この電流データは、極めて高いサンプリングレートを使用して収集される。このサンプリングレートは、データサンプルを検出するレートのことである。例として、１マイクロ秒のサンプリングレートは、１マイクロ秒毎に１つの電流検出が行われることに相応する。
【００１７】
検出した電流データを、処理可能な状態および量に低減するため、この検出データは、標準のデジタルフィルタを使用し、コントローラ５０によってフィルタリングされて高周波ノイズが除去される。高いサンプリングレートを使用する例では、データはさらに、公知のダウンサンプリング技術を使用してダウンサンプリングされ、上記の電流プロファイルにおけるデータ量が低減される。上記のフィルタリングおよびダウンサンプリングは、コントローラ５０により、電流データフィルタリングステップ２１８において行われる。
【００１８】
フィルタリングおよびダウンサンプリングされたデータは、図２に示した電流プロファイル１１０，１２０のようなインジェクタ電流プロファイルを形成する。この電流プロファイルが求められると、スロープ反射検出器適用ステップ２２０において、コントローラ５０または別のスロープ反射検出器により、スロープ反射検出プロセスが上記の電流プロファイルに適用される。このスロープ反射検出器によって実行されるプロセスについては、図４に関連して以下に一層詳しく説明する。
【００１９】
上記のスロープ反射検出器は、インジェクタ電流プロファイルにスロープ反射があるか否かを求める。スロープ反射が検出されない場合、コントローラ５０は、「開時間および状態を求めるステップ」２２２において、インジェクタ４０の状態を「固着」として設定する。「固着」状態とは、インジェクタ４０が開放中に固着して完全には開かなかったことを示す。スロープ反射が検出される場合、「開時間および状態（ステータス）を求めるステップ」２２２において、コントローラ５０は、インジェクタ４０の状態を「開」に設定し、インジェクタ４０が完全に開いた時間が、上記のスロープ反射の最小点であるとする。
【００２０】
インジェクタ４０の上記の開時間および状態が求められると、「開時間および状態を通報するステップ」２２４においてこの開時間および状態を通報する。この通報は、独立した別のコントローラへの通報、コントローラ５０内のサブプログラムへの通報、またはＯＢＤ（On-Board Diagnostic）またはＯＢＤII（On-Board Diagnostic II）のような診断システムへの通報とすることが可能である。択一的には、インジェクタ４０のこの開時間および状態が必要な別の任意のシステムに、上記の開時間および状態を通報することができる。
【００２１】
図１を引き続き参照しながら図４を参照すると、この図にはスロープディップ３１４を含む、インジェクタ４０の電流プロファイル３０２を示すグラフ３００が示されている。上記のように電流プロファイル３０２を求めるため、コントローラ５０は、非線形デジタルフィルタリング技術を使用してノイズを除去し、データ量を低減するためにダウンサンプリングし、これによってデータバッファサイズを低減している。電流プロファイル３０２が求められると、コントローラ５０は、スロープ反射検出器を適用する。
【００２２】
このスロープ反射検出器は、スロープ反射点３１４を求めるために改良メジアンフィルタを使用する。スロープ反射検出器は、メディアン電流プロファイルを求めるため、電流プロファイル３０２をエントリ毎に処理し、各エントリを、メディアン窓３２０内の隣接する複数のエントリの中央値に置き換える。つぎにこのメディアン窓内の上記のエントリが値の昇順にソートされる。上記のスロープ反射検出器はさらに、平均電流プロファイルを求めるため、電流プロファイル３０２を各エントリ毎に処理し、各エントリを、平均窓３１０内の隣接する複数のエントリの中央値に置き換える。
【００２３】
図４からわかるように、平均窓３１０は、メディアン窓３２０よりも小さい（隣接する２，３のデータポイントを含む）窓である。さらに平均窓３１０は完全にメディアン窓３２０内に入っている。平均窓３１０の開始エッジは、メディアン窓３２０の開始エッジから、オフセット値３３０だけオフセットしている。平均窓３１０およびメディアン窓３２０の双方のサイズも、オフセット３３０のサイズも共に調整値であり、この調整値は、この明細書の開示内容の恩恵を受けた当業者であれば、特定の選択触媒還元インジェクタ４０に対して実験的または数学的に求めることができる。窓３１０，３２０の所要サイズに起因して上記のスロープ反射検出処理の最初の出力は、点３４０において行われ、この電流プロプロファイル３０２の開始時間３０４には行われない。図４に示した例において、スロープ反射検出器の最初の出力３４０は、最初の平均窓３１０の終点において行われる。
【００２４】
出力３４０の値は、つぎの関係式によって求められる。すなわち、
Ｏｕｔ＝ｍｉｄ＊ｄfact−(ｍｅａｎ＊ｇfact)
である。ここでＯｕｔは出力値であり、ｍｉｄはメディアン窓３２０の中央値であり、ｍｅａｎは平均窓３１０の平均値であり、ｄfactおよびｇfactは可変の係数である。ｄfactおよびｇfactはつぎの関係式、すなわち
ｇfact＝１＋ＡＢＳ(ｍｉｄ−ｍｅａｎ)
ｄfact＝１−ＡＢＳ(ｍｉｄ−ｍｅａｎ)
によって定められ、ここでｍｉｄはメディアン窓３２０の中心値であり、ｍｅａｎは平均窓３１０の平均値であり、ＡＢＳは絶対値関数である。
【００２５】
上記の関係式の結果として、メディアン窓３２０の値（ｍｉｄ）と平均窓３１０の値（ｍｅａｎ）との差分が大きくなればなるほど、係数ｇfactが大きくなる。同様にメディアン窓３２０の値（ｍｉｄ）と平均窓３１０の値（ｍｅａｎ）との差分が大きくなればなるほど、係数ｄfactが小さくなる。ｇfactおよびｄfactにおけるこの差分は、スロープ反射３１４を大きく拡大する出力（ｏｕｔ）になり、その一方でスロープ反射がない場合に相対的に一定な値が維持される。
【００２６】
図１および４を引き続き参照しながら図５を参照すると、この図にはスロープ反射検出器の出力を示す出力グラフ４００が示されており、スロープ反射が存在する場合の出力が出力４１０に、またスロープ反射が存在しない場合の出力が出力４２０に示されている。上記のことからわかるように、このスロープ反射は、選択触媒還元インジェクタ４０が完全に開いた場合に発生し、選択触媒還元が固着した場合にはスロープ反射が発生しない。
【００２７】
固着のないスロープ反射グラフ４１０では、スロープ反射検出器の出力４１２は、スロープ反射が発生するまでおおよそ０値に留まっている。スロープ反射により、スロープ反射の持続期間の間、スロープ反射検出器の出力が急激に低下しており、この急激な低下の後、スロープ反射検出器はおおよそ０値に戻っている。これに対してスロープ反射が存在しない場合、スロープ反射グラフ４２０に示したように、スロープ反射検出器の出力は、全持続期間にわたっておおよそ０値を維持している。このような違いに基づき、コントローラ５０は、選択触媒還元インジェクタ４０を固着している場合（すなわちスロープ反射がない場合）を検出することができるのである。
【００２８】
スロープ反射グラフ４１０からさらに求めることができるのは、選択触媒還元インジェクタ４０が完全に開いた正確な時間である。スロープ反射は、選択触媒還元インジェクタ４０が完全に開いた時点に発生するため、選択触媒還元インジェクタ４０が完全に開いた正確な時間は、スロープ反射検出器の出力４１２の最小値点４１４に遅延時間およびフィルタ処理オフセットを加えたものになる。選択触媒還元インジェクタ４０の正確な開時間は、ダウンサンプリングされるデータレートの時間内の精度を有する。したがってダウンサンプリングされるデータレートが１マイクロ秒である場合、最小値点４１４の時間は、このシステムの許容公差およびスロープ反射検出器フィルタ調整に依存して、選択触媒還元インジェクタ４０が実際に完全に開いた時間の１秒以内に入るのである。
【００２９】
上記のプロセスを利用することにより、コントローラ５０は、選択触媒還元インジェクタの正確な開時間と、選択触媒還元インジェクタが固着しているか否かとを求めることができる。当業者にはわかるように本発明のこの開示内容の恩恵を受ければ、類似のスロープ反射特性を示す任意の個数のインジェクタバルブに、上記のプロセスを適用することができ、これは選択触媒還元インジェクタには限定されない。
【００３０】
さらに上で説明した任意の概念は、単独でできること、または、上記の別の概念のすべてもしくその任意のものと組み合わせて使用できることは当然である。ここでは本発明の１つの実施形態を示したが、当業者には所定の変更が本発明の範囲内に入ることは認識されよう。このため、添付の特許請求の範囲は、本発明の真の範囲および内容を定めるものとして検討すべきである。
【図１】
0005976071.tif 000002
【図２】
0005976071.tif 000003
【図３】
0005976071.tif 000004
【図４】
0005976071.tif 000005
【図５】
0005976071.tif 000006